(57)【要約】【課題】入力操作を支障なく行える電子機器の提供。【解決手段】実施の形態の電子機器は、検出結果取得部及び表示制御部を備えている。検出結果取得部は、画像が表示されたタッチスクリーンの縁部と指示体との近接状況を検出した結果を取得する。表示制御部は、前記取得された検出結果に基づいて、前記タッチスクリーン上での前記画像の表示位置を変更する。【選択図】図５
2014106849.tif 000002
【特許請求の範囲】
【請求項１】
画像が表示されたタッチスクリーンの縁部と指示体との近接状況を検出した結果を取得する検出結果取得部と、
前記取得された検出結果に基づいて、前記タッチスクリーン上での前記画像の表示位置を変更する表示制御部と、
を備える電子機器。
【請求項２】
前記表示制御部は、前記検出結果から前記縁部と前記指示体との近接の間隔が閾値以下であると判定した場合、前記近接状況を検出した対象の縁部から遠ざける方向に前記画像の表示位置を変更する、
請求項１記載の電子機器。
【請求項３】
前記表示制御部は、前記画像の表示位置が変更されたことを案内する案内情報を前記タッチスクリーン上に表示させる、
請求項１又は２記載の電子機器。
【請求項４】
前記検出結果取得部は、前記タッチスクリーンと前記指示体との接触状況を検出した結果を取得し、
前記表示制御部は、前記近接の間隔が前記閾値以下であると判定した場合であっても、当該判定の時点で、前記接触状況の検出結果から前記タッチスクリーンと前記指示体とが接触状態であると判定した場合、前記画像の表示位置を変更する制御を無効にする、
請求項２又は３記載の電子機器。
【請求項５】
前記検出結果取得部は、前記タッチスクリーンと前記指示体との接触状況を検出した結果を取得し、
前記表示制御部は、前記画像の表示位置を変更した状態において、前記接触状況の検出結果から前記タッチスクリーンと前記指示体とが接触状態であると判定し、さらにこの後、当該接触状態が解除されたと判定した場合、前記画像の変更した表示位置を初期の表示位置に戻すように制御する、
請求項１ないし４のいずれか１項に記載の電子機器。
【請求項６】
前記検出結果取得部は、前記タッチスクリーンの縦横の縁部をそれぞれ構成する四つの辺部のうち、一つの特定の辺部と前記指示体との近接状況を検出した結果を取得し、
前記表示制御部は、当該検出結果から前記特定の辺部と前記指示体との近接の間隔が閾値以下であると判定した場合、前記特定の辺部から遠ざける方向に前記画像の表示位置を変更する、
請求項１ないし５のいずれか１項に記載の電子機器。
【請求項７】
前記特定の辺部側には、キーボードが配置されている、
請求項６記載の電子機器。
【請求項８】
前記タッチスクリーンを有する第１のユニットと、
キーボードを有し、前記第１のユニットに対して着脱自在に装着される第２のユニットと、を備え、
前記表示制御部は、前記第２のユニットが前記第１のユニットから取り外されている場合、前記画像の表示位置を変更する制御を無効にする、
請求項１ないし６のいずれか１項に記載の電子機器。
【請求項９】
前記近接状況の検出結果として、前記近接の間隔に対応する信号を出力する一つ以上のセンサをさらに備える、
請求項１ないし８のいずれか１項に記載の電子機器。
【請求項１０】
画像が表示されたタッチスクリーンの縁部と指示体との近接状況を検出した結果を取得する検出結果取得部と、
前記取得された検出結果に基づいて、前記タッチスクリーン上での前記画像の表示位置を変更する表示制御部、
としてコンピュータを機能させる表示処理プログラム。
【請求項１１】
画像が表示されたタッチスクリーンの縁部と指示体との近接状況を検出した結果を取得するステップと、
前記取得された検出結果に基づいて、前記タッチスクリーン上での前記画像の表示位置を変更するステップと、
を有する表示処理方法。
【発明の詳細な説明】
【技術分野】
【０００１】
本発明の実施形態は、電子機器、表示処理プログラム及び表示処理方法に関する。
【背景技術】
【０００２】
入力操作時の利便性を向上させたキーボード付きタブレットが知られている。この種のタブレットは、タッチスクリーンからの入力操作とキーボードからの入力操作とを用途に応じて使い分けることができる。
【先行技術文献】
【特許文献】
【０００３】
【特許文献１】特開平９−１９８１９０号公報
【発明の概要】
【発明が解決しようとする課題】
【０００４】
キーボード付きタブレットは、いわゆるクラムシェル型にキーボードを配置した場合、タッチスクリーンの下部側とキーボードとが近付く配置関係となる。この状況で、タッチスクリーンの下部側をタッチ操作する場合、キーボード上のキーは、タッチ操作の妨げとなり、場合によっては誤って押されてしまうことなども懸念される。
【０００５】
また、キーボードを備えていないタブレットも、例えばクレイドルなどに装着した使用形態では、クレイドルの外形部分がタッチスクリーンの縁部へのタッチ操作を妨げる可能性がある。
【０００６】
そこで、本発明が解決しようとする課題は、入力操作を支障なく行える電子機器、表示処理プログラム、及び表示処理方法を提供することである。
【課題を解決するための手段】
【０００７】
実施の形態の電子機器は、検出結果取得部及び表示制御部を備えている。検出結果取得部は、画像が表示されたタッチスクリーンの縁部と指示体との近接状況を検出した結果を取得する。表示制御部は、前記取得された検出結果に基づいて、前記タッチスクリーン上での画像の表示位置を変更する。
【図面の簡単な説明】
【０００８】
【図１】実施の形態に係る電子機器の外観図。
【図２】図１の電子機器の構成を機能的に示すブロック図。
【図３】図１の電子機器において、ユーザの手がタッチスクリーンの上部側に位置する状態を示す外観図。
【図４】図１の電子機器において、ユーザの手がタッチスクリーンの下部側に位置する状態を示す外観図。
【図５】図１の電子機器が実行する表示処理プログラムの構成を示すブロック図。
【図６】図１の電子機器において、タッチスクリーン上での画像の表示位置を変更した状態を示す外観図。
【図７】図１の電子機器において、ユーザの手がキーボード上に位置する状態を示す外観図。
【図８】図１の電子機器からキーボードユニットが取り外された状態を示す外観図。
【図９】図１の電子機器が実行する表示処理方法を説明するためのフローチャート。
【図１０】図１に示す電子機器とは構成の異なる他の電子機器の外観図。
【図１１】図１及び図１０に示す電子機器とは構成の異なる他の電子機器の外観図。
【発明を実施するための形態】
【０００９】
以下、実施の形態を図面に基づき説明する。
図１、図２に示すように、本実施形態の電子機器１０は、例えばクラムシェル型構造のキーボード付きタブレットやノートＰＣなどとして例示される可搬型の情報処理装置である。電子機器１０は、第１のユニットである電子機器本体ユニット２０と第２のユニットであるキーボードユニット３０とを備えている。電子機器１０には、着脱機構２が設けられている。この着脱機構２を介して、キーボードユニット３０は、電子機器本体ユニット２０に対して着脱自在に装着されている。
【００１０】
図２に示すように、電子機器本体ユニット２０は、ＣＰＵ（Central Processing Unit）３、メインメモリ９、ＢＩＯＳ−ＲＯＭ（Basic Input/ Output System-Read Only Memory）１０、ＳＳＤ（Solid State Drive）１２、ブリッジデバイス１５、サウンドコントローラ１６、スピーカ１７、Ｉ／Ｏ（Input/ Output）コントローラ１８、グラフィックスコントローラ１９、タッチスクリーン２１、エンベデッドコントローラ（EC: Embedded Controller）２３、電源スイッチ２２、電源回路２６、バッテリ２７、コネクタ２９を主に備えている。また、電子機器本体ユニット２０は、電源回路２６に対してＡＣアダプタ２８を接続可能に構成されている。
【００１１】
ＣＰＵ３は、電子機器１０が備える各コンポーネントの動作を制御するプロセッサである。ＣＰＵ３は、ＳＳＤ１２からメインメモリ９にロードされたＯＳ（Operating System）８及び表示処理プログラム５を含む各種のプログラムを実行する。また、ＣＰＵ３は、ＢＩＯＳ−ＲＯＭ１０に格納されたＢＩＯＳを実行する。メインメモリ９は、ＣＰＵ３が実行する各種のプログラムを読込む一時格納領域である。ＳＳＤ１２には、ＯＳ８や表示処理プログラム５の他、種々のデータが記憶されている。
【００１２】
ブリッジデバイス１５は、サウンドコントローラ１６、Ｉ／Ｏコントローラ１８及びグラフィックスコントローラ１９と、それぞれ通信を実行する機能を有している。ブリッジデバイス１５は、ＬＰＣ（Low Pin Count）バス２４上の各デバイスとの通信も実行する。また、ブリッジデバイス１５には、メインメモリ９を制御するメモリコントローラが内蔵されている。
【００１３】
サウンドコントローラ１６は、音声を出力するスピーカ１７の動作を制御する。グラフィックスコントローラ１９は、タッチスクリーン２１に設けられた後述するＬＣＤ（Liquid Crystal Display）２１ａの動作を制御する。具体的には、グラフィックスコントローラ１９は、ブリッジデバイス１５を介してＣＰＵ１０から入力される描画要求に基づいて、表示データを描画するための表示処理（グラフィクス演算処理）をビデオメモリ（ＶＲＡＭ）の記憶領域を用いて実行する。さらに、グラフィックスコントローラ１９は、タッチスクリーン２１（ＬＣＤ２１ａ）上に表示させる画面イメージに対応した前記表示データをビデオメモリに格納する。
【００１４】
タッチスクリーン２１は、前述したＬＣＤ２１ａ及びタッチパネル（タッチセンサ）２１ｂを備えたタッチスクリーンディスプレイである。タッチパネル２１ｂは、透明な材料を用いて構成されており、ＬＣＤ２１ａの前面側に配置されている。つまり、タッチスクリーン２１は、ユーザによりペン又は指などの指示体でタッチ操作（入力操作）されたタッチパネル２１ｂ（タッチスクリーン２１）上のタッチエリア（タッチ位置）を、例えば抵抗膜方式や静電容量方式を用いて検出する。
【００１５】
タッチスクリーン２１上には、図１に示すように、アプリケーションソフトウェアなどを起動させるためのアイコン画像２５ａ、２５ｂ、背景画像、文字画像などを含む例えば画像（画面イメージ）２５が表示される。ＳＳＤ１２には、上述した画像２５を生成するための種々のデータが記憶されている。
【００１６】
電源回路２６は、ＡＣアダプタ２８を介して外部電源が供給されている場合、ＡＣアダプタ２８から供給される外部電源を用いて電子機器１０の各コンポーネントに供給すべきシステム電源を生成する。また、電源回路２６は、外部電源がＡＣアダプタ２８を介して供給されていない場合、バッテリ２７を用いて電子機器１０の各コンポーネントに供給すべきシステム電源を生成する。
【００１７】
エンベデッドコントローラ２３は、ユーザによる電源スイッチ２２の操作に応じて電子機器１０本体の電源をオン、オフする機能を有している。エンベデッドコントローラ２３は、電子機器１０本体の電源のオン、オフにかかわらず常に動作している。すなわち、エンベデッドコントローラ２３は、電源回路２６の動作を制御する。
【００１８】
また、エンベデッドコントローラ２３は、タッチパネルコントローラ２３ａを備えている。タッチパネルコントローラ２３ａは、タッチパネル２１ｂの動作を制御する。タッチパネルコントローラ２３ａは、タッチパネル２１ｂより取得したタッチ情報を、ブリッジデバイス１５を介してＣＰＵ３へ通知する。ＣＰＵ３は、タッチ情報に従いグラフィックスコントローラ１９に対して表示制御を指示する。
【００１９】
Ｉ／Ｏコントローラ１８は、例えばＵＳＢ（Universal Serial Bus）コントローラとしての機能を有しており、コネクタ２９とバス信号線を介して接続されている。Ｉ／Ｏコントローラ１８は、コネクタ２９とキーボードユニット３０側の後述するコネクタ３１とが接続されると、コネクタ２９、３１及びバス信号線を介して、キーボードユニット３０側の後述するＩ／Ｏコントローラ３２との間で各種のデータ及び制御信号を送受信する。
【００２０】
すなわち、Ｉ／Ｏコントローラ１８は、着脱機構２を介してコネクタ２９が、キーボードユニット３０側のコネクタ３１と接続されているか否かを検出する着脱検出部１８ａを有している。詳述すると、着脱検出部１８ａは、電子機器本体ユニット２０に対して、キーボードユニット３０が、装着されているか、取り外されているかを検出する。
【００２１】
一方、キーボードユニット３０は、キーボード３３、近接センサ７ａ、７ｂ、上述したコネクタ３１及びＩ／Ｏコントローラ３２を備えている。キーボード３３は、ユーザによるキー操作を受け付け、操作されたキーに応じた指示コマンドをＩ／Ｏコントローラ３２へ出力する。
【００２２】
Ｉ／Ｏコントローラ３２は、キーボード３３及び近接センサ７ａ、７ｂを制御する。コネクタ３１にコネクタ２９が接続されると、Ｉ／Ｏコントローラ３２は、電子機器本体ユニット２０側の電源回路２６と接続されることによって電力が供給され、キーボード３３からのキー操作による入力が可能となる。
【００２３】
近接センサ７ａ、７ｂは、例えば電磁波や超音波などを出射し、物体の表面で反射した反射波の帰還時間を計測することで、当該近接センサ７ａ、７ｂと物体との間隔を検出する。近接センサ７ａ、７ｂは、キーボードユニット３０の上面における電子機器本体ユニット２０が装着されている部位の手前に配置されている。
【００２４】
詳述すると、近接センサ７ａ、７ｂは、薄板状のキーボードユニット３０の上面に対して、起立した姿勢で配置される薄板状の電子機器本体ユニット２０における前面側の下部を基準とし、この基準から電子機器本体ユニット２０の前面側の上部に位置する物体を検出する。
【００２５】
具体的には、図３、図４に示すように、近接センサ７ａ、７ｂは、タッチスクリーン２１上をタッチ操作するユーザの手（若しくはペンや指先などの指示体６自体）との間隔を検出する。近接センサ７ａは、右手検出用の近接センサであり、近接センサ７ｂは、左手検出用の近接センサである。ここで、タッチスクリーン２１の下部側とキーボード３３とは、互いに近付く配置関係となっている。
【００２６】
次に、表示処理プログラム５の機能について説明する。表示処理プログラム５は、図５に示すように、ソフトウェアによって実現される検出結果取得部３７及び表示制御部３８を有している。検出結果取得部３７は、タッチスクリーン２１と指やペンなどの指示体との接触状況を検出した結果を取得する。例えば、検出結果取得部３７は、タッチパネル２１ｂへの入力操作に基づいたデータを、タッチパネルコントローラ２３ａを介して入力する。
【００２７】
さらに、検出結果取得部３７は、図１に示すように、画像２５が表示されたタッチスクリーン２１の縁部２１ｃと指やペンなどの指示体６との近接状況を検出した結果を双方の近接センサ７ａ、７ｂから取得する。近接センサ７ａ、７ｂは、縁部２１ｃと指示体６との近接の間隔に対応する信号を出力する。具体的には、検出結果取得部３７は、タッチスクリーン２１の縦横の縁部をそれぞれ構成する四つの辺部のうち、一つの特定の辺部（本実施形態では底辺部分）と指示体６との近接状況を検出した結果を近接センサ７ａ、７ｂから取得する。ここで、図１に示すように、上述した特定の辺部側には、キーボード３３が配置されている。
【００２８】
一方、表示制御部３８は、検出結果取得部３７によって取得されたタッチスクリーン２１の縁部２１ｃと指示体６との近接状況の検出結果に基づき、グラフィックスコントローラ１９を制御して、タッチスクリーン２１上での画像２５の表示位置を変更する。具体的には、表示制御部３８は、閾値記憶部３８ａ、判定部３８ｂ、及び画像位置変更部３８ｃを有している。
【００２９】
閾値記憶部３８ａは、タッチスクリーン２１の縁部２１ｃと指示体６との近接の間隔に対応する閾値を例えばＳＳＤ１２から読み出して記憶する。判定部３８ｂは、近接センサ７ａ、７ｂの双方によりそれぞれ検出され、かつ検出結果取得部３７により取得された近接状況の検出結果から、縁部２１ｃ（タッチスクリーン２１の底辺部分）と指示体６との近接の間隔が閾値以下であるか否かを判定する。つまり、判定部３８ｂは、指示体６によってタッチスクリーン２１の縁部２１ｃが、次の瞬間、タッチ操作されようとしているか否かを判定する。
【００３０】
画像位置変更部３８ｃは、図４に示すように、縁部２１ｃと指示体６との近接の間隔ｈ２が閾値以下であると判定部３８ｂが判定した場合、図６に示すように、近接状況を検出した対象の縁部２１ｃ（キーボード３３側）から遠ざける方向（タッチスクリーン２１の上部方向）に画像２５の表示位置を変更する。
【００３１】
これにより、タッチスクリーン２１の下部側をタッチ操作しようとする場合であっても、画像２５がタッチスクリーン２１の上部方向に移動することになるので、キーボード３３上のキーが、タッチ操作の妨げとなることや、誤って押されてしまうことなどを回避することができる。つまり、上述した近接の間隔に対応する閾値は、タッチ操作時におけるキーとの物理的な干渉を避けることが可能な値に設定されている。また、画像位置変更部３８ｃは、例えばアプリケーションを実行させるアイコンどうしの配列関係を変えないようにするために、タッチスクリーン２１上での表示画面全体の表示位置を移動させる。
【００３２】
さらに、画像位置変更部３８ｃを備える表示制御部３８は、図６に示すように、近接状況を検出した対象の縁部２１ｃから遠ざける方向に画像２５の表示位置を変更する際に、画像２５の表示位置が変更されたこと（移動したこと）を案内する矢印画像などの案内情報７ｃ、７ｄをタッチスクリーン２１上に表示（例えばアニメーション表示）させる。これによって、画像２５の表示位置が移動したことをユーザに報知することができるので、タッチスクリーン２１上の例えば誤った位置へのタッチ操作などを抑制することができる。なお、画像２５の表示位置が移動したことをスピーカ１７から音声を出力させて案内してもよい。
【００３３】
また、表示制御部３８は、図３に示すように、タッチスクリーン２１の縁部２１ｃと指示体６との近接の間隔ｈ１が閾値よりも大きいと判定部３８ｂが判定した場合、キーボード３３上のキーがタッチ操作の妨げにはならないため、画像２５の表示位置を変更させない。また、表示制御部３８は、図７に示すように、指示体６がキーボード３３上にあり、近接センサ７ａ、７ｂによる検出結果が得られない場合、タッチ操作が生じないものと判断して画像２５の表示位置を変更させない。
【００３４】
さらに、表示制御部３８は、図４に示すように、タッチスクリーン２１の縁部２１ｃと指示体６との近接の間隔ｈ２が閾値以下であると判定した場合であっても、当該判定の時点で、検出結果取得部３７により取得された接触状況の検出結果からタッチスクリーン２１と指示体６とが接触状態であると判定した場合、画像２５の表示位置を変更する制御を無効にする。
【００３５】
すなわち、表示制御部３８によるこの制御は、タッチ操作がタッチスクリーン２１をなぞるドラッグ操作である場合において、画像２５の表示位置の移動による誤操作を防止するための制御である。
【００３６】
また、表示制御部３８は、図６に示すように、画像２５の表示位置を変更した状態において、検出結果取得部３７により取得された接触状況の検出結果からタッチスクリーン２１と指示体６とが接触状態であると判定し、さらにこの後、当該接触状態が解除されたと判定した場合、画像２５の変更した表示位置を、図１に示すように、初期の表示位置に戻すように制御する。
【００３７】
表示制御部３８によるこの制御は、ユーザによるタッチ操作が一旦終了したものと判断して、図１に示すように、タッチスクリーン２１上に表示画面全体を表示させ、次のタッチ操作の待ち受け状態にするための制御である。
【００３８】
さらに、表示制御部３８は、図８に示すように、キーボードユニット３０が電子機器本体ユニット２０から取り外されていることを着脱検出部１８ａが検出した場合、画像の表示位置を変更する制御を無効にする。表示制御部３８によるこの制御は、タッチスクリーン２１の例えば下部側をタッチ操作しようとする場合において、キーボードユニット３０が取り外されていることで、キーボード３３側へは電力が供給されずキー入力が不可能であることに加え、キーボード３３上のキーがタッチ操作の妨げになるおそれもないので、不要な処理を省くための制御である。
【００３９】
次に、図９に示すフローチャートに基づき、電子機器１０が実行する表示処理方法について説明する。
まず、表示制御部３８は、キーボードユニット３０が電子機器本体ユニット２０から取り外されているか否かを着脱検出部１８ａによる検出結果に基づき判定する（Ｓ１）。キーボードユニット３０が取り外されていないと判定した場合（Ｓ１のＮＯ）、表示制御部３８は、近接センサ７ａ、７ｂの双方からそれぞれ検出され、かつ検出結果取得部３７により取得された近接状況の検出結果から、タッチスクリーン２１の縁部２１ｃと指示体６との近接の間隔が閾値以下であるか否かを判定する（Ｓ２）。
【００４０】
表示制御部３８は、図４に示すように、上述した近接の間隔ｈ２が閾値以下であると判定した場合（Ｓ２のＹＥＳ）、さらにタッチ操作がドラッグ操作中であるか否かを判定する（Ｓ３）。表示制御部３８は、ドラッグ操作中ではないと判定した場合（Ｓ３のＮＯ）、図６に示すように、タッチスクリーン２１上での画像２５の表示位置を変更する（移動させる）と共に、案内情報７ｃ、７ｄをタッチスクリーン２１上に表示させる（Ｓ４）。
【００４１】
さらに、表示制御部３８は、図６に示すように、画像２５の表示位置を変更した状態において、検出結果取得部３７により取得された接触状況の検出結果からタッチスクリーン２１と指示体６とが接触状態であると判定し（Ｓ５のＹＥＳ）、さらにこの後、当該接触状態が解除されたと判定した場合（Ｓ６のＹＥＳ）、画像２５の変更した表示位置を、図１に示すように、初期の表示位置に戻すように制御する（Ｓ７）。
【００４２】
なお、上述したステップＳ６、Ｓ７に関する処理を一部変更してもよい。例えば、表示制御部３８は、タッチスクリーン２１と指示体６との接触状態が解除されたと判定するまでは、画像２５の表示位置を変更したまま維持する。ただし、当該接触状態が解除されたと判定した場合に（Ｓ６のＹＥＳ）、表示制御部３８は、画像２５の表示位置を直ちに初期の表示位置に戻すのではなく、当該接触状態が解除されたと判定しかつタッチスクリーン２１の縁部２１ｃと指示体６との近接の間隔が閾値よりも大きいと判定した場合に、ステップＳ７に遷移し、画像２５の表示位置を初期の表示位置に戻すようにしてもよい。
【００４３】
既述したように、本実施形態の電子機器１０は、近接センサ７ａ、７ｂから取得した検出結果から、ペンや指などの指示体６によってタッチスクリーン２１の縁部２１ｃ（底辺部分）が、後にタッチ操作されるものと判定した場合、キーボード３３側から離れる方向に、タッチスクリーン２１上での画像２５の表示位置を移動させるものである。
【００４４】
したがって、電子機器１０によれば、キーボード３３の位置に近いことからタッチ操作し難いタッチスクリーン２１の下部側を、タッチ操作する必要がなくなり、支障なく入力操作を行うことができる。
【００４５】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【００４６】
例えば上述した実施形態では、キーボード付きタブレットなどを想定した電子機器１０を例示したが、図１０に示すように、キーボードを備えていないタブレットとしての電子機器５０に表示処理プログラム５の機能を持たせるようにしてもよい。この場合、例えば、近接センサ７ａ、７ｂを設けたクレイドル５２に装着した使用形態などが想定されるが、表示処理プログラム５の機能により画像２５の表示位置を変更することが可能なので、クレイドル５２の外形部分が、タッチ操作を妨げることを回避することができる。
【００４７】
また、図１１に示すように、近接センサ７ａ、７ｂを電子機器本体ユニット２０側に設けた電子機器７０を構成することも可能である。また、近接センサ７ａ、７ｂに代えて、キーボード３３上のキーやタッチスクリーン２１に表示させたボタン画像を代用し、キーボード３３上のキーやボタン画像が押された場合に、タッチスクリーン２１上での画像の表示位置を変更するようにしてもよい。
【００４８】
また、上述した実施形態の電子機器１０において、キーボードユニット３０と電子機器本体ユニット２０とを対向させる配置に変形させることが可能となるように、ヒンジ機構などを追加してもよい。また、上述した検出結果取得部３７及び表示制御部３８は、ソフトウェアによって実現されていたが、電子部品を組み合わせて構成されるハードウェアで構成してもよい。
【符号の説明】
【００４９】
２…着脱機構、５…表示処理プログラム、６…指示体、７ａ，７ｂ…近接センサ、７ｃ…案内情報、９…メインメモリ、１０，５０，７０…電子機器、１８ａ…着脱検出部、１９…グラフィックスコントローラ、２０…電子機器本体ユニット、２１…タッチスクリーン、２１ａ…ＬＣＤ、２１ｂ…タッチパネル、２１ｃ…縁部、タッチパネルコントローラ２３ａ、２５…画像、２９，３１…コネクタ、３０…キーボードユニット、３３…キーボード、３７…検出結果取得部、３８…表示制御部、３８ａ…閾値記憶部、３８ｂ…判定部、３８ｃ…画像位置変更部。
【図１】
2014106849.tif 000003
【図２】
2014106849.tif 000004
【図３】
2014106849.tif 000005
【図４】
2014106849.tif 000006
【図５】
2014106849.tif 000007
【図６】
2014106849.tif 000008
【図７】
2014106849.tif 000009
【図８】
2014106849.tif 000010
【図９】
2014106849.tif 000011
【図１０】
2014106849.tif 000012
【図１１】
2014106849.tif 000013